(57)【要約】      （修正有）【課題】カートンの分野において改良をもたらすこと。【解決手段】カートンと、ブランク１０と、ブランク１０のネスト化構成とに関する。カートンは、上壁部と、第１の側壁部１６と、第２の側壁部２０と、第１の折り目ラインにより第１の側壁部１６にヒンジ連結された第１の底壁部と、を含む複数の壁部を備える。カートンは下方タブを備える。下方タブは、第１の側壁部１６および底壁部の自由端から延在する。カートンは、ヒール開口を備える。ヒール開口は少なくとも第１の側壁部１６からストライクされる。第１の側壁部１６は、第３の折り目ラインを備える。カートンは、変形可能構造部を備える。下方タブの第１の部分は、部分的には１対の分散状に配置された折り目ラインによりおよび部分的には分散状折り目ラインの近位端同士の間に延在する切込みラインにより画定されたリリーフタブを備える。【選択図】図１
2019089599.tif 000002
【特許請求の範囲】
【請求項１】
１つまたは複数の物品をパッケージングするためのカートンであって、
前記カートンは、上壁部と、第１の側壁部と、第２の側壁部と、第１の折り目ラインにより前記第１の側壁部にヒンジ連結された第１の底壁部と、を含む複数の壁部を備え、
前記カートンは、前記第１の側壁部から延在する第１の部分および底壁部から延在する第２の部分を備える下方タブを備え、前記第１の部分は、第２の折り目ラインにより前記第２の部分にヒンジ連結され、前記第２の折り目ラインは、前記第１の折り目ラインと同一線上に配置され、前記下方タブは、前記第１の側壁部および前記底壁部の自由端から延在し、
前記カートンは、最端部の物品のヒール部分を受けるためのヒール開口を備え、前記ヒール開口は、前記下方タブに隣接して配設されるとともに少なくとも前記第１の側壁部からストライクされ、前記第１の側壁部は、ベベルパネルを画定するように前記ヒール開口の内縁から前記第１の側壁部を長手方向に横断して延在する第３の折り目ラインを備え、
前記カートンは、前記カートンの前記ヒール開口と自由端縁との間に前記下方タブに画成された変形可能構造部を備え、前記下方タブの前記第１の部分は、部分的には１対の分散状に配置された折り目ラインによりおよび部分的には分散状折り目ラインの近位端同士の間に延在する切込みラインにより画定されたリリーフタブを備える、カートン。
【請求項２】
前記下方タブは、前記切込みラインと前記自由端縁との間に延在する第４の折り目ラインを備える、請求項１に記載のカートン。
【請求項３】
前記第４の折り目ラインは前記第３の折り目ラインと同一線上にある、請求項２に記載のカートン。
【請求項４】
前記下方タブは、前記自由端縁からストライクされた第１の凹部を備え、前記第４の折り目ラインは、凹部に向かって前記切込みラインから延在する、請求項３に記載のカートン。
【請求項５】
前記第１の凹部は、実質的にＶ字形状であるとともにその底部に頂点を有し、前記第４の折り目ラインは、前記第１の凹部の前記頂点に向かって延在する、請求項４に記載のカートン。
【請求項６】
前記第１の凹部は、前記下方タブの第１の弧状自由縁部分を画定し、前記第４の折り目ラインは、前記第１の凹部から径方向に延在する、請求項４に記載のカートン。
【請求項７】
前記第１の凹部は、前記第４の折り目ラインと前記第１の折り目ラインとの間に画定された前記下方タブの自由端縁部分を差し込むように、前記第４の折り目ラインと前記第１の折り目ラインとの間に延在する、請求項４に記載のカートン。
【請求項８】
前記下方タブは、前記自由端縁からストライクされた第２の凹部を備え、前記第１の折り目ラインは、前記ヒール開口から前記第２の凹部に向かって延在する、請求項１に記載のカートン。
【請求項９】
第２の凹部は、実質的にＶ字形状であるとともにその底部に頂点を有し、前記第１の折り目ラインは、前記第２の凹部の前記頂点に向かって延在する、請求項７に記載のカートン。
【請求項１０】
第２の凹部は、前記下方タブの第１の弧状自由縁部分を画定し、前記第１の折り目ラインは、前記第２の凹部から径方向に延在する、請求項７に記載のカートン。
【請求項１１】
前記下方タブは、その自由端縁からストライクされた凹部を備える、請求項１に記載のカートン。
【請求項１２】
前記下方タブは、前記第１の側壁部に前記リリーフタブを結合するウェブ構造部を備える、請求項１に記載のカートン。
【請求項１３】
前記ウェブ構造部は、第５の折り目ラインにより前記第１の側壁部にヒンジ連結された第１のフラップと、第６の折り目ラインにより前記第１のフラップにヒンジ連結された第２のフラップと、を備え、前記第２のフラップは、前記分散状折り目ラインの一方により前記リリーフタブにヒンジ連結された、請求項１２に記載のカートン。
【請求項１４】
前記ヒール開口は、少なくとも部分的には前記下方タブからストライクされた、請求項１に記載のカートン。
【請求項１５】
カートンを形成するためのブランクであって、
前記ブランクは、上部パネルと、第１の側部パネルと、第２の側部パネルと、第１の折り目ラインにより前記第１の側部パネルにヒンジ連結された第１の底部パネルと、を含む複数のパネルを備え、
前記ブランクは、前記第１の側部パネルから延在する第１の部分および前記第１の底部パネルから延在する第２の部分を備えるタブを備え、前記第１の部分は、第２の折り目ラインにより前記第２の部分にヒンジ連結され、前記第２の折り目ラインは、前記第１の折り目ラインと同一線上に配置され、前記タブは、前記第１の側部パネルおよび底部パネルの自由端部から延在し、
前記ブランクは、最端部の物品のヒール部分を受けるためのヒール開口を備え、前記ヒール開口は、前記タブに隣接して配設されるとともに少なくとも前記第１の側部パネルからストライクされ、前記第１の側部パネルは、ベベルパネルを画定するように前記ヒール開口の内縁から前記第１の側部パネルを長手方向に横断して延在する第３の折り目ラインを備え、
前記ブランクは、前記ブランクの前記ヒール開口と自由端縁との間に前記タブに画成された変形可能構造部を備え、前記タブの前記第１の部分は、部分的には１対の分散状に配置された折り目ラインによりおよび部分的には分散状折り目ラインの近位端同士の間に延在する切込みラインにより画定されたリリーフタブを備える、ブランク。
【発明の詳細な説明】
【技術分野】
【０００１】
本発明は、カートンとカートンを形成するためのブランクとに関する。限定するものではないが、より詳細には、本発明は、折畳み可能コーナー構造体を有するラップアラウンドキャリアに関する。
【背景技術】
【０００２】
パッケージングの分野では、複数の物品を搬送するためにカートンを用意することが知られている。カートンは、当技術では周知であり、消費者がひとまとまりの消費用物品を輸送し、保管し、それらにアクセスすることを可能にする場合に有用である。コストおよび環境面での考慮要件から、かかるカートンまたはキャリアは、可能な限り少量の材料から形成され、形成に使用される材料の無駄を可能な限り少なくすることが好ましい。別の考慮要件は、カートンの強度、ならびに高重量物品の保持および輸送への適性である。カートンの内容物がカートン内において固定されることが望ましい。
【０００３】
ネスト化可能なブランクからカートンを作製することが望ましく、これは、環境面および経済面での利益をもたらし、標準幅または固定幅を有するボール紙または他のシート材料から取ることができるカートンブランクの個数を増加または最大化することにおいて有利となり得る。
【０００４】
また、バッグを引き裂くもしくはバッグの完全性を別の方法で損なうか、またはバッグ内の他のアイテムに損傷を与えることなく、バッグまたはサック内でカートンを輸送することが可能となることが望ましい。
【発明の概要】
【発明が解決しようとする課題】
【０００５】
本発明の目的は、ボール紙等から典型的に形成されるカートンの分野において改良をもたらすことである。
【課題を解決するための手段】
【０００６】
本発明の第１の態様は、１つまたは複数の物品をパッケージするためのカートンを提供する。このカートンは、上壁部と、第１の側壁部と、第２の側壁部と、第１の折り目ラインにより第１の側壁部にヒンジ連結された第１の底壁部と、を含む複数の壁部を備える。カートンは、第１の側壁部から延在する第１の部分および底壁部から延在する第２の部分を備える下方タブを備える。第１の部分は、第２の折り目ラインにより第２の部分にヒンジ連結される。第２の折り目ラインは、第１の折り目ラインと同一線上に配置される。下方タブは、第１の側壁部および底壁部の自由端から延在する。カートンは、最端部の物品のヒール部分を受けるためのヒール開口を備える。ヒール開口は、下方タブに隣接して配設され、少なくとも第１の側壁部からストライク（struck）される。第１の側壁部は、ベベルパネルを画定するようにヒール開口の内縁から第１の側壁部を長手方向に横断して延在する第３の折り目ラインを備える。カートンは、カートンのヒール開口と自由端縁との間の下方タブに画成された変形可能構造部を備える。下方タブの第１の部分は、部分的には１対の分散状（divergently）に配置された折り目ラインによりおよび部分的には分散状（divergent）折り目ラインの近位端同士の間に延在する切込みラインにより画定されたリリーフタブを備える。
【０００７】
任意には、下方タブは、切込みラインと自由端縁との間に延在する第４の折り目ラインを備える。
【０００８】
任意には、第４の折り目ラインは第３の折り目ラインと同一線上にある。
【０００９】
任意には、下方タブは、自由端縁からストライクされた第１の凹部を備え、第４の折り目ラインは、凹部に向かって切込みラインから延在する。
【００１０】
任意には、第１の凹部は、実質的にＶ字形状であり、その底部に頂点を有し、第４の折り目ラインは、第１の凹部の頂点に向かって延在する。
【００１１】
任意には、第１の凹部は、下方タブの第１の弧状自由縁部分を画定し、第４の折り目ラインは、第１の凹部から径方向に延在する。
【００１２】
任意には、第１の凹部は、第４の折り目ラインと第１の折り目ラインとの間に画定された下方タブの自由端縁部分を差し込むために、第４の折り目ラインと第１の折り目ラインとの間に延在する。
【００１３】
任意には、下方タブは、自由端縁からストライクされた第２の凹部を備え、第１の折り目ラインは、ヒール開口から第２の凹部に向かって延在する。
【００１４】
任意には、第２の凹部は、実質的にＶ字形状であり、その底部に頂点を有し、第１の折り目ラインは、第２の凹部の頂点に向かって延在する。
【００１５】
任意には、第２の凹部は、下方タブの第１の弧状自由縁部分を画定し、第１の折り目ラインは、第２の凹部から径方向に延在する。
【００１６】
任意には、下方タブは、その自由端縁からストライクされた凹部を備える。
【００１７】
任意には、下方タブは、第１の側壁部にリリーフタブを結合するウェブ構造部を備える。
【００１８】
任意には、ウェブ構造部は、第５の折り目ラインにより第１の側壁部にヒンジ連結された第１のフラップと、第６の折り目ラインにより第１のフラップにヒンジ連結された第２のフラップとを備え、第２のフラップは、分散状折り目ラインの一方によりリリーフタブにヒンジ連結される。
【００１９】
任意には、ヒール開口は、少なくとも部分的には下方タブからストライクされる。
【００２０】
本発明の第２の態様は、カートンを形成するためのブランクを提供する。ブランクは、上部パネルと、第１の側部パネルと、第２の側部パネルと、第１の折り目ラインにより第１の側部パネルにヒンジ連結された第１の底部パネルと、を含む複数のパネルを備える。ブランクは、第１の側部パネルから延在する第１の部分および第１の底部パネルから延在する第２の部分を備えるタブを備える。第１の部分は、第２の折り目ラインにより第２の部分にヒンジ連結される。第２の折り目ラインは、第１の折り目ラインと同一線上に配置される。タブは、第１の側部パネルおよび底部パネルの自由端部から延在する。ブランクは、最端部の物品のヒール部分を受けるためのヒール開口を備える。ヒール開口は、タブに隣接して配設され、少なくとも第１の側部パネルからストライクされる。第１の側部パネルは、ベベルパネルを画定するようにヒール開口の内縁から第１の側部パネルを長手方向に横断して延在する第３の折り目ラインを備える。ブランクは、ブランクのヒール開口と自由端縁との間のタブに画成された変形可能構造部を備える。タブの第１の部分は、部分的には１対の分散状に配置された折り目ラインによりおよび部分的には分散状折り目ラインの近位端同士の間に延在する切込みラインにより画定されたリリーフタブを備える。
【００２１】
本願の範囲内において、前出の段落、特許請求の範囲、および／または以下の説明および図面に示される様々な態様、実施形態、例、特徴、および代替形態は、個別にまたはそれらの任意の組合せにおいて採用され得ることが予期される。例えば、一実施形態と組み合わせて説明される特徴は、特徴の不適合性を伴わない限りは、あらゆる実施形態に対して適用可能である。
【００２２】
以下、添付の図面を参照として本発明の実施形態を説明する。
【図面の簡単な説明】
【００２３】
【図１】第一実施形態よるカートンを形成するためのブランクの上から見た平面図である。
【図１Ａ】第一実施形態よるカートンを形成するためのブランクの上から見た平面図である。
【図２】図１のブランクから形成されたカートンの上方斜視図である。
【図３】拡げられた状態にある変形可能コーナー領域を示す図２のカートンの一部分の斜視図である。
【図４】拡げられた状態にある変形可能コーナー領域を示す図２のカートンの一部分の斜視図である。
【図５】拡げられた状態にある変形可能コーナー領域を示す図２のカートンの一部分の斜視図である。
【図６】拡げられた状態にある第１の折畳み可能コーナー領域と折り畳まれた状態にある第２の折畳み可能コーナー領域とを示す、図２のカートンの第１の端部の端面図である。
【図７】第二実施形態によるカートンを形成するためのブランクの上から見た平面図である。
【図７Ａ】図７のブランクの変形可能コーナー領域の拡大図である。
【図８】第三実施形態によるカートンを形成するためのブランクの上から見た平面図である。
【図８Ａ】図８のブランクの変形可能コーナー領域の拡大図である。
【図９】第四実施形態によるカートンを形成するためのブランクの上から見た平面図である。
【図９Ａ】図９のブランクの変形可能コーナー領域の拡大図である。
【発明を実施するための形態】
【００２４】
本明細書では、パッケージ、ブランク、およびカートンの具体的な実施形態の詳細な説明を開示する。開示される実施形態は、本発明の特定の態様が実装され得る方法の例に過ぎず、本発明が具現化され得る全方法の包括的リストを表すわけではない点が理解されよう。本明細書において、「例示の」という語は、図示、実例、モデル、またはパターンとしての役割を果たす実施形態を指すために包括的に使用される。実際に、本明細書において説明されるパッケージ、ブランク、およびカートンは、様々なおよび代替的な形態で具現化され得る点が理解されよう。図面は、必ずしも縮尺通りではなく、いくつかの特徴は、特定の構成要素の細部を示すために誇張または極小化される場合がある。周知の構成要素、材料、または方法は、本開示の曖昧化を避けるために必ずしも非常に詳細には説明されない。本明細書において開示されるいかなる具体的な構造的および機能的詳細も、限定的なものとして解釈されるべきではなく、専ら特許請求の範囲のための土台としてのみ、および本発明の様々な使用を当業者に教示するための代表的土台としてのみ解釈されるべきである。
【００２５】
図１を参照すると、図２に示すように以降において物品Ｂと呼ばれる限定するものではないが飲料缶などのひとまとまりの一次製品を収容および搬送するための図２に示すようなカートンまたはキャリア９０を形成することが可能なブランク１０の平面図が示される。ブランク１０は、少なくとも１つの一次製品容器または一次製品パッケージをパッケージングするための二次パッケージを形成する。
【００２６】
図７、図８、および図９は、以降において物品Ｂと呼ばれる限定するものではないが飲料缶などのひとまとまりの一次製品を収容および搬送するためのカートンまたはキャリア（図示せず）を形成することが可能なブランク１１０、２１０、３１０の平面図をそれぞれ示す。ブランク１１０、２１０、３１０は、少なくとも１つの一次製品容器または一次製品パッケージをパッケージングするための二次パッケージを形成する。
【００２７】
本明細書において詳述する実施形態では、「カートン」および「キャリア」という用語は、本発明の様々な特徴を示す非限定的な目的において、一次製品容器Ｂなどの物品Ｂを係合および搬送するための容器９０を指す。本発明の教示は、テーパ状および／または円筒状であってもまたはなくてもよい様々な製品容器Ｂに対して適用され得ることが予期される。他の例示の容器としては、ボトル（例えば金属製、ガラス製、またはプラスチック製のボトル）、缶（例えばアルミニウム缶）、ブリキ缶、カップ、ポット、ポーチ、およびパケット等が含まれる。
【００２８】
ブランク１０、１１０、２１０、３１０は、適切な基層シートから形成される。本明細書において、「適切な基層」という用語は、ボール紙、段ボール紙、厚紙、プラスチック、およびそれらの組合せ等のあらゆる形態の折畳み可能シート材料を含む点を理解されたい。例えば以下でさらに詳細に説明されるキャリア構造体を提供するためなどに適した１つまたは他の個数のブランクが使用されてもよい点を理解されたい。
【００２９】
本明細書において説明されるパッケージング構造体またはカートン９０は、その強度を増強させるための材料から作製され得るまたはその材料で被覆され得るボール紙などのシート材料から形成され得る。かかるシート材料の一例は、ウエストロック社により作製された耐引裂き性のナトラロック（登録商標）ボール紙である。耐引裂き性材料は、パッケージの耐引裂き性の改良に寄与するように２つ以上の層により形成され得る点に留意されたい。典型的には、シート材料の一方の表面は、他方の表面とは異なる特徴を有し得る。例えば、完成したパッケージから外方に面するシート材料の表面は、特に平滑であってもよく、良好な印刷適性を実現するようにクレーコーティングまたは他の表面処理などのコーティングを有し得る。他方において、内方に面するシート材料の表面は、コーティング、層、処理を施されるか、または耐引裂き性、良好な接着能力、熱融着性、もしくは他の所望の機能特性の中の１つまたは複数などの特性を実現するように他の方法で調製され得る。
【００３０】
図示する実施形態では、ブランク１０、１１０、２１０、３１０は、例示の配置の例示の物品Ｂをパッケージングするためのカートンまたはキャリア９０を形成するように構成される。図示する実施形態では、この配置は、２行（ｍ＝２）および３列（ｎ＝３）を有するｍ×ｎ行列またはｍ×ｎアレイであり、図示する実施形態では、２行の３つの物品Ｂが用意され、物品Ｂは、５００ｍｌ飲料缶である。代替的には、ブランク１０、１１０、２１０、３１０は、限定するものではないが例えば完全に閉じられたカートンもしくはバスケットキャリアなどの、物品Ｂの他のタイプ、個数、およびサイズをパッケージングするための、および／または異なる配置もしくは構成で物品Ｂをパッケージングするためのキャリアを形成するように構成されてもよく、物品Ｂは、ボトルまたは缶であり得る。
【００３１】
図１を参照すると、第一実施形態によるカートン９０（図２を参照）を形成するためのブランク１０が示される。ブランク１０は、管状構造体を形成するための複数の主要パネル１２、１４、１６、１８、２０、２２、２４を備える。複数の主要パネル１２、１４、１６、１８、２０、２２、２４は、第１の底部パネル１２、第１のコーナーパネル１４、第１の側部パネル１６、上部パネル１８、第２の側部パネル２０、第２のコーナーパネル２２、および第２の底部パネル２４を備える。複数のパネル１２、１４、１６、１８、２０、２２、２４は、対応する折り目ライン１３、１５、１７、１９、２１、２３により次から次へとヒンジ連結された状態で直線直列状（linear series）に配置され得る。
【００３２】
代替的な実施形態では、第１のコーナーパネル１４および第２のコーナーパネル２２が省かれ、折り目ライン１５、２１が省かれ得る。
【００３３】
第１のコーナーパネル１４および第２のコーナーパネル２２は、それらがヒンジ連結される対象である、第１の側部パネル１６もしくは第２の側部パネル２０の、または代替的には第１の底部パネル１２もしくは第２の底部パネル２４のそれぞれ一方の下方部分を形成するように考慮され得る。
【００３４】
ブランク１０は、図２に示すようなパッケージ９０を形成するように折畳み可能である。第１の底部パネル１２および第２の底部パネル２４は、カートン９０の複合底壁部１２／２４を形成するように重畳関係で相互に係合可能である。ブランク１０は、第１の底部パネル１２に第２の底部パネル２４を固定するための相補的ロック機構を備え得る。第２の底部パネル２４は、相補的ロック機構の少なくとも１つの第１の部分Ｆを備え得る。第１の底部パネル１２は、相補的ロック機構の少なくとも１つの第２の部分Ｍを備え得る。図示する実施形態では、第２の底部パネル２４は、第２の底部パネル２４に開口を画定する複数の雌タブＦを備える。第１の底部パネル１２は、複数の雄タブＭを備え、第２の底部パネル２４の開口は、雄タブＭのそれぞれ１つを受けるように構成される。雌タブＦは、開口を形成し、その開口内に受けられた場合の雄タブＭを支持するように、第２の底部パネル２４から外に変位されるように配置される。いくつかの実施形態では、相補的ロック機構Ｍ／Ｆは省かれてもよく、第１の底部パネル１２および第２の底部パネル２４は、限定するものではないが接着剤またはステープルなどの他の手段により相互に固定されてもよい。
【００３５】
任意には、第１の底部パネル１２および第２の底部パネル２４は、少なくとも１つの第１のアパーチャＡ１を備え得る。図示する実施形態では、第１の底部パネル１２および第２の底部パネル２４はそれぞれ、２つの第１のアパーチャＡ１を備える。任意には、第１の底部パネル１２および第２の底部パネル２４は、少なくとも１つの第２のアパーチャＡ２を備え得る。図示する実施形態では、第１の底部パネル１２および第２の底部パネル２４はそれぞれ、１つの第２のアパーチャＡ２を備える。第１のアパーチャＡ１および第２のアパーチャＡ２は、カートン９０の作製を容易にするために使用され得る。パッケージング機械の構成要素は、複数のパネル１２、１４、１６、１８、２０、２２、２４がひとまとまりの物品Ｂの周囲に締め付けられ得るように、第１のアパーチャＡ１および第２のアパーチャＡ２に係合し得る。また、第１のアパーチャＡ１および第２のアパーチャＡ２は、第１の底部パネル１２および第２の底部パネル２４の相互に対する位置合わせを容易にするために、または相補的ロック機構の第２の部分に相補的ロック機構の第１の部分を位置合わせするために使用され得る。図示および説明される相補的ロック機構は、完全にオプションである。
【００３６】
ブランク１０は、物品Ｂのヒールまたは下方部分に係合するための少なくとも１つのヒール係合構造部Ｎを備え得る。図１に示すブランク１０は、６つのヒール係合構造部Ｎを備え、これらはそれぞれ各物品Ｂに係合するために設けられる。各ヒール係合構造部Ｎは、構造的に実質的に同様であり、第１の側部パネル１６に設けられたヒール係合構造部Ｎを参照として説明する。
【００３７】
ヒール係合構造部Ｎは、開口を備え得る。この開口は、部分的にはヒールアパーチャＡ３によりおよび部分的にはヒールタブ４２により画定される。ヒールタブ４２は、折り目ライン４３により第１の底部パネルにヒンジ連結される。ヒールタブ４２は、第１のコーナーパネル１４からストライク（struck）される。
【００３８】
折り目ライン４３は、第１のコーナーパネル１４に第１の底部パネル１２をヒンジ連結する折り目ライン１３に割り込む。折り目ライン４３は、非直線状であってもよく、図示する実施形態では、折り目ライン４３は、曲線形状または弧形状であり、他の実施形態では、相互に対して拡散状に配置され相互に隣接する少なくとも２つの直線状折り目ラインから形成され得る。
【００３９】
ヒールタブ４２は、ヒールタブ４２の折畳み可能コーナー部分を画定し得る１対の拡散状に配置された折り目ライン４５ａ、４５ｂを備え得る。
【００４０】
上部パネル１８は、オプションのハンドル構造部Ｈを備え得る。ハンドル構造部Ｈは、１対の折畳み可能フィンガタブ５２を備える。フィンガタブ５２は、相互から離間される。フィンガタブ５２は、折り目ライン５３により上部パネル１８にヒンジ連結され、切込みラインまたは分離ライン５５により部分的に画定される。第１のフィンガタブ５２は、第２のフィンガタブ５２とは逆に上部パネル１８にヒンジ連結される。
【００４１】
上部パネル１８は、ティアストリップの形態の取外し可能部分Ｄを備え得る。取外し可能部分Ｄは、第１の引裂きラインまたは第１の分離ライン６２ａによりおよび第２の引裂きラインまたは第２の分離ライン６２ｂにより画定される。第１の分離ライン６２ａおよび第２の分離ライン６２ｂは、上部パネル１８にわたりほぼ長手方向に延在する。第２の分離ライン６２ｂは、第１の分離ライン６２ａから横方向に離間される。プルタブ６０ａ、６０ｂの形態の引裂き開始デバイスが、ティアストリップの各端部に設けられ得る。プルタブ６０ａ、６０ｂは、各折り目ライン６１ａ、６１ｂによりティアストリップにヒンジ連結され、第１の分離ライン６２ａおよび第２の分離ライン６２ｂよりも容易に引き裂かれる脆弱ラインにより部分的に画定されてもよく、すなわち脆弱ラインは、第１の分離ライン６２ａおよび第２の分離ライン６２ｂよりも耐引裂き性が低い。
【００４２】
取外し可能部分Ｄは、それを除去した場合にカートン９０の内容物すなわち物品Ｂへのアクセスを容易にし得る。
【００４３】
各パネル１２、１６、１８、２０、２２、２４が、１対の切欠部または凹部を有して形成される。これらの切欠部は、ブランク１０の両端縁に画定される。切欠部は、完全大型切欠部７０、７０ａ、７０ｃと、部分的なまたは小型の切欠部７０ｂと、を備える。
【００４４】
第１の切欠部７０が、上部パネル１８の両端縁のそれぞれに沿ったほぼ中間点に画定される。第２の切欠部７０ａが、第１の側部パネル１６の各端縁に画定される。第３の切欠部７０ｃが、第２の側部パネル２０の各端縁に画定される。
【００４５】
部分的なまたは小型の切欠部７０ｂが、第１の底部パネル１２および第２の底部パネル２４のそれぞれの両端縁のそれぞれに画定される。
【００４６】
結果として、ブランク１０は、その各長手方向縁に沿って、切欠部７０、７０ａ、７０ｂ、７０ｃの隣接し合うもの同士の間に配置された４つのタブ７２、７２ａ、７２ｂ、７２ｃを備える。
【００４７】
図１に示すように、第１の上方タブ７２が、隣接して配設された第１の切欠部７０と第３の切欠部７０ｃとにより挟まれ画定される。第２の上方タブ７２ａが、第１の切欠部７０と第２の切欠部７０ａとにより挟まれ画定される。第１の下方タブ７２ｂが、第２の切欠部７０ａと第１の底部パネル１２に画定された第１の部分的切欠部７０ｂとにより挟まれ画定される。第２の下方タブ７２ｃが、第３の切欠部７０ｃと第２の底部パネル２４に画定された第２の部分的切欠部７０ｂとにより挟まれ画定される。
【００４８】
第１の上方タブ７２が、隣接する折り目ライン１９にまたがり位置する。第２の上方タブ７２ａは、隣接する折り目ライン１７にまたがり位置する。
【００４９】
第１の下方タブ７２ｂは、隣接する折り目ライン１３、１５にまたがり位置する。第２の下方タブ７２ｃは、隣接する折り目ライン２１、２３にまたがり位置する。
【００５０】
完全なまたは大型の切欠部７０、７０ａ、７０ｃは、同様のまたは類似の隣接して配設されたブランクのタブ７２、７２ａ、７２ｃの適切にサイズ設定された１つを収容することが可能である。
【００５１】
各部分的なまたは小型の切欠部７０ｂは、図１に示すブランク１０と端部同士を接して配設される後のまたは前の第２のブランク（図示せず）の部分的なまたは小型の切欠部７０ｂと協働することにより、図１のブランク１０と横並びに配設された隣接する第３のブランク（図示せず）（任意にはブランク１０の長手方向縁の少なくとも一部分が、第３のブランクの長手方向縁の少なくとも一部分と共有されるまたは共通であり得る）の適切にサイズ設定されたタブ７２、７２ａ、７２ｂ、７２ｃを収容することが可能な空部または切欠部を形成する。第２のブランクの第１のブランク１０の第１の部分的切欠部７０ｂおよび第２の部分的切欠部７０ｂが、第３のブランクの単一タブ７２、７２ａ、７２ｂ、７２ｃを収容することが必要とされる。このようにすることで、２つの部分的切欠部７０ｂは、完全な切欠部を形成するものと考えられ得る。
【００５２】
第１の上方タブ７２および第２の上方タブ７２ａはそれぞれ、ブランク１０がカートン９０へと組み立てられた場合にカートン９０の内容物がカートン９０から外れるのを防止するための端部保持構造部を形成する、またはその形成を支援する。第１の上方タブ７２および第２の上方タブ７２ａはそれぞれ、折り目ラインに沿って折り畳まれた場合に上部係合構造部を形成するための切込みラインおよび折り目ラインを備える。
【００５３】
より具体的には、各上方タブ７２、７２ａは、折り目ライン２５ａ、２５ｂ、３９ａ、３９ｂに沿って隣接する側部パネル１６、２０にヒンジ連結されたアンカー部分２６ａ、２６ｂ、３６ａ、３６ｂを備える。各上方タブ７２、７２ａは、折り目ライン２７ａ、２７ｂ、３７ａ、３７ｂに沿ってアンカー部分２６ａ、２６ｂ、３６ａ、３６ｂにヒンジ連結されたガゼット部分２８ａ、２８ｂ、３４ａ、３４ｂを備える。
【００５４】
各上方タブ７２、７２ａは、折り目ライン１７、１９のそれぞれ１つの延長部２９ａ、２９ｂ、３５ａ、３５ｂに沿ってガゼット部分２８ａ、２８ｂ、３４ａ、３４ｂにヒンジ連結されたウェブ部分３０ａ、３０ｂ、３２ａ、３２ｂを備える。各上方タブ７２、７２ａは、上部パネル１８と一体的に形成されたカバー部分８０ａ、８０ｂ、８２ａ、８２ｂを備える。各ウェブ部分３０ａ、３０ｂ、３２ａ、３２ｂは、折り目ライン３１ａ、３１ｂ、３３ａ、３３ｂにより各カバー部分８０ａ、８０ｂ、８２ａ、８２ｂにヒンジ連結される。
【００５５】
オプションのアパーチャＡ４が、部分的には上部パネル１８から、部分的には第１の側部パネル１６および第２の側部パネル２０から、ならびに部分的には上方タブ７２、７２ａからストライクされる。アパーチャＡ４は、折り目ライン１７、１９、２９ａ、２９ｂ、３５ａ、３５ｂ、３１ａ、３１ｂ、３３ａ、３３ｂ、２７ａ、２７ｂ、３７ａ、３７ｂ、２５ａ、２５ｂ、３９ａ、３９ｂのそれぞれの終端部を画定し、前述の折り目ラインの概念上の合流点に配設される。
【００５６】
各上方タブ７２、７２ａの折畳みは、カートンの組立て中に達成される。各上方タブ７２、７２ａから上部係合構造部を形成するために、アンカー部分２６ａ、２６ｂ、３６ａ、３６ｂは、隣接する側部パネル１６、２０の内部表面と面接触関係になるように約１８０度折り曲げられる。アンカー部分２６ａ、２６ｂ、３６ａ、３６ｂは、隣接する側部パネル１６、２０に対接するパッケージングされた物品Ｂの１つにより圧迫されることにより、折畳み位置に保持される。アンカー部分２６ａ、２６ｂ、３６ａ、３６ｂの折畳みにより、ガゼット部分２８ａ、２８ｂ、３４ａ、３４ｂは、１つのパッケージングされた物品Ｂの側壁部に沿って折り目ライン２７ａ、２７ｂ、３７ａ、３７ｂから外方に延在するように、折り目ライン２７ａ、２７ｂ、３７ａ、３７ｂの周囲で外方に折り曲げられる。同時に、ウェブ部分３０ａ、３０ｂ、３２ａ、３２ｂは、折り目ライン３１ａ、３１ｂ、３３ａ、３３ｂに沿って下方に折り畳まれ、それにより折り目ライン３１ａ、３１ｂ、３３ａ、３３ｂとガゼット部分２８ａ、２８ｂ、３４ａ、３４ｂの外縁との間に延在する折畳み位置におかれる。このように完成された上部係合構造部が図２に示され、ここでこの構造部は、１つの物品Ｂの上部にしっかりと係合するものとして図示される。
【００５７】
各下方タブ７２ｂ、７２ｃは、隣接する最端部ヒールアパーチャＡ３が画定されるのに十分な材料を与える役割を果たす。より具体的には、各下方タブ７２ｂ、７２ｃに隣接するヒールアパーチャＡ３は、ヒールアパーチャＡ３がその下方タブ７２ｂ、７２ｃ内に延在する場合でも十分な材料がヒールアパーチャＡ３を囲むように位置決めされる。物品Ｂの組立ておよびパッケージングの最中に、ブランク１０は、各ヒールアパーチャＡ３が各物品Ｂの底部を受けてカートン９０内に物品Ｂを保持するように操作される。また、ヒールタブ４２は、物品Ｂの保持を支援するように折り畳まれる。
【００５８】
各下方タブ７２ｂ、７２ｃは、カートン９０の折畳み可能コーナー領域を形成する変形可能構造部Ｇを備える。変形可能構造部Ｇは、ある配置の折り目ラインの形態を取り、カートン９０の鋭角コーナーまたは縁を取り除くのに適する。これは、カートン９０が、限定するものではないが特にプラスチック、紙、または同様のシート材料から形成されたものなどのキャリアバッグ内で輸送または搬送される場合に有利となり得る。変形可能構造部Ｇは、カートン９０がキャリアバッグを形成する材料を穿孔する、引き裂く、または他の方法で穿刺する可能性を防止または軽減する。キャリアバッグの穿孔はキャリアバッグの荷重支持能力を損ない、一度損なわれると、引裂きが伝線する可能性があり、これにより、キャリアバッグ内に配設されたカートン９０または他のアイテムが出てきてしまう場合があり、結果としてカートン９０または他のアイテムに損傷を与える可能性が生じ得ることが理解されよう。
【００５９】
各変形可能構造部Ｇは、構造的に実質的に同様であり、図１Ａに示す第２の下方タブ７２ｃの１つに形成された変形可能構造部Ｇを参照として説明される。第２の下方タブ７２ｃは、部分的には第２の側部パネル２０から、部分的にはオプションの第２のコーナーパネル２２から、および部分的には第２の底部パネル２４から形成される。
【００６０】
変形可能構造部Ｇは、部分的には第２の側部パネル２０からおよび部分的には第２のコーナーパネル２２から形成されたリリーフタブ８８を備える。第１のコーナーパネル１４および第２のコーナーパネル２２が省かれた実施形態では、リリーフタブ８８は、部分的には第２の側部パネル２０からおよび部分的には第２の底部パネル２４から形成され得る。
【００６１】
リリーフタブ８８は、部分的には第２の側部パネル２０に設けられた第１の折り目ライン８７により、および部分的には第２のコーナーパネル２２に設けられた第２の折り目ライン９１により画定される。
【００６２】
第１の折り目ライン８７は、第２の折り目ライン９１に対して拡散状に配置される。第１の折り目ライン８７および第２の折り目ライン９１は、ブランク１０の長手方向縁または自由側縁に向かって拡散状になる。第１の折り目ライン８７および第２の折り目ライン９１は、相互の近位に配設された第１の端部と、相互の遠位に配設された第２の端部と、を備える。
【００６３】
リリーフタブ８８は、部分的には切込みラインまたは分離ライン９３により画定される。切込みライン９３は、第１の折り目ライン８７の第１の端部から第２の折り目ライン９１の第１の端部に向かって延在し得る。切込みライン９３は、第１の折り目ライン８７の第１の近位端部と第２の折り目ライン９１の第１の近位端部との間に実質的に延在し得る。切込みライン９３は、連続的になるように第２の折り目ライン９１の第１の端部に第１の折り目ライン８７の第１の端部を連結し得る。切込みライン９３は、第２の下方タブ７２ｃの長手方向縁または自由側縁の隣接部分に対して実質的に平行になるように配置され得る。リリーフタブ８８は、実質的に台形形状となり得る。
【００６４】
折り目ライン２１の延長部または一部分が、リリーフタブ８８を実質的に２等分する第３の折り目ライン８９を画定する。他の実施形態では、第３の折り目ライン８９は、リリーフタブ８８が第３の折り目ライン８９に対して非対称になるように偏心され得る。
【００６５】
リリーフタブ８８は、長手方向縁または自由側縁からストライクされた第１の切欠部または凹部Ｒ１を備え得る。図１の実施形態では、凹部Ｒ１は、その底部に頂点を画定するように実質的にＶ字形状または三角形である。凹部Ｒ１は、リリーフタブ８８の２等分された部分の一方を他方の２等分部分に結合する第３の折り目ライン８９に割り込む。第３の折り目ライン８９は、凹部Ｒ１の頂点にて終端する。凹部Ｒ１は、第２の下方タブ７２ｃの自由縁の近傍における第３の折り目ライン８９の突出を軽減するために第３の折り目ライン８９をまたいで材料を除去する。凹部Ｒ１は、第３の折り目ライン８９の切り抜かれた縁を与える。
【００６６】
リリーフタブ８８は、第２の下方タブ７２ｃの長手方向縁または自由側縁と隣接する最端部ヒールアパーチャＡ３との間に配設される。
【００６７】
変形可能構造部Ｇは、１対のフラップ８４、８６を備えるウェブ構造部を備え得る。第１のフラップ８４は、第４の折り目ライン８３により第２の側部パネル２０にヒンジ連結される。第４の折り目ライン８３は、第３の大型切欠部７０ｃの長手方向自由縁と同一線上にあり得る。第２のフラップ８６は、第５の折り目ライン８５により第１のフラップ８４にヒンジ連結される。第５の折り目ライン８５は、第４の折り目ライン８３に対して拡散状に配置される。第１のフラップ８４は、実質的に三角形である。第２のフラップ８６は、第１の折り目ライン８７によりリリーフタブ８８にヒンジ連結される。第５の折り目ライン８５は、第１の折り目ライン８７に対して拡散状に配置される。第２のフラップ８６は、実質的に三角形である。
【００６８】
第１のフラップ８４および第２のフラップ８６は、第２の側部パネル２０にリリーフタブ８８を相互連結する。
【００６９】
変形可能構造部Ｇは、第２の側部パネル２０により（および設けられる場合にはオプションの第２のコーナーパネル２２により）形成される第２の下方タブ７２ｃの部分が、物品Ｂに隣接する最端部の端部の周囲で折り曲げられるまたは変形されることにより、最端部物品Ｂのより近傍に第２の下方タブ７２ｃの部分の自由縁をおくことを可能にする。これは、第２の下方タブ７２ｃの部分の外方領域の剛性を、それが容易に変形されるように低下させる。このようにすることで、キャリアバッグの詰めこみ中または搬送中のいずれかにおいて、第２の下方タブ７２ｃが、キャリアバッグの内部に配設された場合にキャリアバッグの壁部を穿孔する可能性が低下する。これは、二重壁部を形成するために第２のキャリアバッグの内部に第１のキャリアバッグを配置する「ダブルバッギング」の実施を緩和させ得る。
【００７０】
変形可能構造部Ｇは、長手方向縁または自由側縁からストライクされた第２の切欠部または凹部Ｒ２を備え得る。図１の実施形態では、第２の凹部Ｒ２は、底部に頂点を画定するように実質的にＶ字形状である。第２の凹部Ｒ２は、第２のコーナーパネル２２に第２の底部パネル２４を結合する折り目ライン２３に割り込む。折り目ライン２３は、第２の凹部Ｒ２の頂点にて終端する。第２の凹部Ｒ２は、第２の下方タブ７２ｃの自由縁の近傍における折り目ライン２３の突出を軽減するために折り目ライン２３をまたいで材料を除去する。第２の凹部Ｒ２は、折り目ライン２３の切り抜かれた縁を与える。
【００７１】
図２に示すようにカートン９０の構造を参照すると、カートン９０は、カートン９０がその組立てを完了させるために回転または反転される必要がないように、直線マシンの一連の連続折畳み動作によって形成され得る。折畳みプロセスは、以下に説明されるものに限定されず、特定の製造要件に応じて変更され得る。
【００７２】
ひとまとまりの物品Ｂがまとめられ、図２に示す実施形態では、６つの物品Ｂが２×３アレイに配置される。ブランク１０の上部パネル１８は、これらのまとまりの物品Ｂの上方に配設されて、カートン９０の上部壁部１８を形成する。
【００７３】
第１の側部パネル１６および第２の側部パネル２０は、ひとまとまりの物品Ｂの両側の周囲に配設されるようにひとまとまりの物品Ｂの両側の周囲にそれぞれ折り目ライン１７、１９の周囲で上部パネル１８に対して折り曲げられて、カートン９０の第１の側壁部１６および第２の側壁部２０を形成する。
【００７４】
アンカー部分２６ａ、２６ｂ、３６ａ、３６ｂは、上部パネル１８に対して第１の側部パネル１６および第２の側部パネル２０を折り曲げるのと実質的に同時に第１の側部パネル１６および第２の側部パネル２０のそれぞれ一方と面接触関係になるように折り曲げられて、上述の上部係合構造部を形成し得る。
【００７５】
代替的には、上部係合構造部は、管形状へとカートン９０を組み立てた後に形成されてもよい。アンカー部分２６ａ、２６ｂ、３６ａ、３６ｂは、ヒンジ連結される対象である第１の側部パネル１６および第２の側部パネル２０のそれぞれ１つと隣接して配設された物品Ｂとの間に挟まれ得る。
【００７６】
第１のコーナーパネル１４および第２のコーナーパネル２２は、隣接して配設された物品Ｂのヒールまたは下方部分の周囲のそれぞれ折り目ライン１５、２１の周囲にて第１の側部パネル１６および第２の側部パネル２０のそれぞれ１つに対して折り曲げられる。
【００７７】
ヒールタブ４２は、第１のコーナーパネル１４および第２のコーナーパネル２２、第１の側部パネル１６および第２の側部パネル２０のそれぞれ１つを折り曲げる前に、折り目ライン４３の周囲にて第１のコーナーパネル１４および第２のコーナーパネル２２の面外に折り曲げられ得る。
【００７８】
第１の底部パネル１２は、ひとまとまりの物品Ｂの底部に隣接して配設されるように折り目ライン１３の周囲で折り曲げられ、第２の底部パネル２４は、第１の底部パネル１２と少なくとも部分的に重畳関係になるように折り目ライン２３の周囲で折り曲げられ、そうする際に、各ヒールタブ４２は、各物品Ｂの底部と係合状態におかれてもよい。
【００７９】
第１の底部パネル１２および第２の底部パネル２４は、共に固定される。各雄タブＭは、第２の底部パネル２４の面外へと内方に変位される。そうする際に、各雌タブＦは、内方に変位されて第１の底部パネル１２に対応する開口を形成する。雄タブＭは、第１の底部パネル１２および第２の底部パネル２４を共にロックするように開口の中のそれぞれ１つの中に受けられる。このようにすることで、管状構造体がひとまとまりの物品Ｂの周囲に形成される。
【００８０】
組み立てられたカートン９０は、図２に示される。図３、図４、および図５は、組み立てられたカートン９０の変形可能構造部Ｇの中の１つの拡大図である。
【００８１】
図３は、変形可能構造部Ｇが拡げられた状態または非変形状態にある初期位置または開始位置において変形可能構造部Ｇを示す。
【００８２】
リリーフタブ８８は、第２の側部パネル２０と実質的に同一平面に位置する第１の上方部分と、第２のコーナーパネル２２と実質的に同一平面に位置する第２の下方部分とを備える。折り目ライン８９は、第２の側部パネル２０に第２のコーナーパネル２２をヒンジ連結する折り目ライン２３と実質的に同一線上にある。
【００８３】
図４および図５は、変形可能構造部Ｇが折り畳まれた状態または変形状態にある第２の展開位置において変形可能構造部Ｇを示す。変形可能構造部Ｇは、外部本体または外部影響により折り畳まれ得るまたは変形され得るものであり、例えば変形可能構造部Ｇは、キャリアバッグの壁部と接触状態におかれ得る。この壁部は、カートン９０に作用して変形可能構造部Ｇに対して力をかける。リリーフタブ８８は、適切な方向に印加された力により内方へと変位される。
【００８４】
リリーフタブ８８は、最端部の物品Ｂの周囲で折り曲げられてその物品Ｂの近傍におかれる。このようにすることで、第１の下方タブ７２ｂおよび第２の下方タブ７２ｃにより形成されるカートン９０の下方コーナーが、丸められる、テーパ状になされる、または面取り状態になされる。これは、カートン９０がキャリアバッグを穿孔する可能性を低下させる点で有利となり得る。これは、キャリアバッグの壁部が、カートン９０のより広い面積または領域に接触するのを可能にし、それによってより広い面積に対して荷重力を分散させることによりバッグにかかる圧力を低下させる。第１の下方タブ７２ｂおよび第２の下方タブ７２ｃが変形する結果として、キャリアバッグの壁部は、カートン９０の最端部物品に接触し得る。
【００８５】
図６は、カートン９０の下方コーナーの中の１つが折り畳まれておりまたは変形されており、カートン９０の他の見える下方コーナーが折り畳まれていない、カートン９０の端面図を示す。
【００８６】
次に図７、図７Ａ、図８、図８Ａ、図９、および図９Ａを参照すると、本開示の代替的な実施形態が示される。これらの図示する代替的な実施形態では、同様の数字は、可能である場合には同様のパーツを示すために使用されているが、これらの特徴部が第二実施形態、第三実施形態、および第四実施形態にそれぞれ属するものであることを示すために「１００」「２００」「３００」が加算されている。これらの代替的な実施形態は、多数の共通特徴部を図１〜図６の実施形態と共有し、したがって図１〜図６示される実施形態との相違点のみが、任意のさらなる詳細度で説明される。
【００８７】
図７および図７Ａは、第二実施形態によるブランク１１０を示す。ブランク１１０は、管状構造体を形成するための複数の主要パネル１１２、１１４、１１６、１１８、１２０、１２２、１２４を備える。複数の主要パネル１１２、１１４、１１６、１１８、１２０、１２２、１２４は、第１の底部パネル１１２、第１のコーナーパネル１１４、第１の側部パネル１１６、上部パネル１１８、第２の側部パネル１２０、第２のコーナーパネル１２２、および第２の底部パネル１２４を備える。複数のパネル１１２、１１４、１１６、１１８、１２０、１２２、１２４は、対応する折り目ライン１１３、１１５、１１７、１１９、１２１、１２３により次から次へとヒンジ連結された状態で直線直列状に配置され得る。
【００８８】
図７Ａは、変形可能構造部Ｇの１つの拡大図である（これらの変形可能構造部Ｇは、構造的に実質的に同様であり、図７Ａの変形可能構造部Ｇを参照することにより説明される）。変形可能構造部Ｇは、部分的には第２の側部パネル１２０から、部分的にはオプションの第２のコーナーパネル１２２から、および部分的には第２の底部パネル１２４から形成された第２の下方タブに画成される。
【００８９】
変形可能構造部Ｇは、部分的には第２の側部パネル１２０からおよび部分的には第２のコーナーパネル１２２から形成されたリリーフタブ１８８を備える。第１のコーナーパネル１１４および第２のコーナーパネル１２２が省かれた実施形態では、リリーフタブ１８８は、部分的には第２の側部パネル１２０からおよび部分的には第２の底部パネル１２４から形成され得る。
【００９０】
リリーフタブ１８８は、部分的には第２の側部パネル１２０に設けられた第１の折り目ライン１８７により、および部分的には第２のコーナーパネル１２２に設けられた第２の折り目ライン１９１により画定される。
【００９１】
第１の折り目ライン１８７は、第２の折り目ライン１９１に対して拡散状に配置される。第１の折り目ライン１８７および第２の折り目ライン１９１は、ブランク１１０の長手方向縁または自由側縁に向かって拡散状になる。
【００９２】
リリーフタブ１８８は、部分的には切込みラインまたは分離ライン１９３により画定される。切込みライン１９３は、第１の折り目ライン１８７の第１の端部から第２の折り目ライン１９１の第１の端部に向かって延在し得る。切込みライン１９３は、実質的に第１の折り目ライン１８７の第１の端部と第２の折り目ライン１９１の第１の端部との間に延在し得る。切込みライン１９３は、連続的になるように第２の折り目ライン１９１の第１の端部に第１の折り目ライン１８７の第１の端部を連結し得る。切込みライン１９３は、第２の下方タブの長手方向縁または自由側縁の隣接部分に対して実質的に平行になるように配置され得る。リリーフタブ１８８は、実質的に台形形状となり得る。
【００９３】
折り目ライン１２１の延長部または一部分が、リリーフタブ１８８を実質的に２等分する第３の折り目ライン１８９を画定する。他の実施形態では、第３の折り目ライン１８９は、リリーフタブ１８８が第３の折り目ライン１８９に対して非対称になるように偏心され得る。
【００９４】
リリーフタブ１８８は、長手方向縁または自由側縁からストライクされた（struck）第１の切欠部または凹部Ｒ１を備え得る。図７および図７Ａの実施形態では、凹部Ｒ１は、凸状の丸み底部を画定するように実質的にＵ字形状である。凹部Ｒ１は、リリーフタブ１８８の２等分された部分同士を結合する第３の折り目ライン１８９に割り込む。第３の折り目ライン１８９は、第１の凹部Ｒ１の丸み底部にて終端する。凹部Ｒ１は、第２の下方タブの自由縁の近傍における第３の折り目ライン１８９の突出を軽減するために第３の折り目ライン１８９をまたいで材料を除去する。凹部Ｒ１は、第３の折り目ライン１８９の切り抜かれた縁を与える。
【００９５】
リリーフタブ１８８は、第２の下方タブの長手方向縁または自由側縁と隣接する最端部ヒールアパーチャＡ３との間に配設される。
【００９６】
変形可能構造部Ｇは、１対のフラップ１８４、１８６を備えるウェブ構造部を備え得る。第１のフラップ１８４は、第４の折り目ライン１８３により第２の側部パネル１２０にヒンジ連結される。第４の折り目ライン１８３は、第３の大型切欠部の長手方向自由縁と同一線上にあり得る。第２のフラップ１８６は、第５の折り目ライン１８５により第１のフラップ１８４にヒンジ連結される。第５の折り目ライン１８３は、第４の折り目ライン１８３に対して拡散状に配置される。第１のフラップ１８４は、実質的に三角形である。第２のフラップ１８６は、第１の折り目ライン１８７によりリリーフタブ１８８にヒンジ連結される。第５の折り目ライン１８３は、第１の折り目ライン１８７に対して拡散状に配置される。第２のフラップ１８６は、実質的に三角形である。
【００９７】
第１のフラップ１８４および第２のフラップ１８６は、第２の側部パネル１２０にリリーフタブ１８８を相互連結する。
【００９８】
変形可能構造部Ｇは、第２の側部パネル１２０により（および設けられる場合にはオプションの第２のコーナーパネル１２２により）形成される第２の下方タブの部分が、物品Ｂに隣接する最端部の端部の周囲で折り曲げられるまたは変形されることにより、最端部物品Ｂのより近傍に第２の下方タブの部分の自由縁をおくことを可能にする。これは、第２の下方タブの部分の外方領域の剛性を、それが容易に変形されるように低下させる。このようにすることで、キャリアバッグの詰めこみ中または搬送中のいずれかにおいて、第２の下方タブが、キャリアバッグの内部に配設された場合にキャリアバッグの壁部を穿孔する可能性が低下する。これは、二重壁部を形成するために第２のキャリアバッグの内部に第１のキャリアバッグを配置する「ダブルバッギング」の実施を緩和させ得る。
【００９９】
変形可能構造部Ｇは、長手方向縁または自由側縁からストライクされた第２の切欠部または凹部Ｒ２を備え得る。図７および図７Ａの実施形態では、第２の凹部Ｒ２は、凸状の丸められた底部を画定するように実質的にＵ字形状である。第２の凹部Ｒ２は、第２のコーナーパネル１２２に第２の底部パネル１２４を結合する折り目ライン１２３に割り込む。折り目ライン１２３は、第２の凹部Ｒ２の丸み底部にて終端する。第２の凹部Ｒ２は、第２の下方タブの自由縁の近傍における折り目ライン１２３の突出を軽減するために折り目ライン１２３をまたいで材料を除去する。第２の凹部Ｒ２は、折り目ライン１２３の切り抜かれた縁を与える。
【０１００】
図８および図８Ａは、第三実施形態によるブランク２１０を示す。ブランク２１０は、管状構造体を形成するための複数の主要パネル２１２、２１４、２１６、２１８、２２０、２２２、２２４を備える。複数の主要パネル２１２、２１４、２１６、２１８、２２０、２２２、２２４は、第１の底部パネル２１２、第１のコーナーパネル２１４、第１の側部パネル２１６、上部パネル２１８、第２の側部パネル２２０、第２のコーナーパネル２２２、および第２の底部パネル２２４を備える。複数のパネル２１２、２１４、２１６、２１８、２２０、２２２、２２４は、対応する折り目ライン２１３、２１５、２１７、２１９、２２１、２２３により次から次へとヒンジ連結された状態で直線直列状に配置され得る。
【０１０１】
図８Ａは、変形可能構造部Ｇの１つの拡大図である（これらの変形可能構造部Ｇは、構造的に実質的に同様であり、図８Ａの変形可能構造部Ｇを参照することにより説明される）。変形可能構造部Ｇは、部分的には第２の側部パネル２２０から、部分的にはオプションの第２のコーナーパネル２２２から、および部分的には第２の底部パネル２２４から形成された第２の下方タブに画成される。
【０１０２】
変形可能構造部Ｇは、部分的には第２の側部パネル２２０からおよび部分的には第２のコーナーパネル２２２から形成されたリリーフタブ２８８を備える。第１のコーナーパネル２１４および第２のコーナーパネル２２２が省かれた実施形態では、リリーフタブ２８８は、部分的には第２の側部パネル２２０からおよび部分的には第２の底部パネル２２４から形成され得る。
【０１０３】
リリーフタブ２８８は、部分的には第２の側部パネル２２０に設けられた第１の折り目ライン２８７により、および部分的には第２のコーナーパネル２２２に設けられた第２の折り目ライン２９１により画定される。
【０１０４】
リリーフタブ２８８は、部分的には切込みラインまたは分離ライン２９３により画定される。
【０１０５】
折り目ライン２２１の延長部または一部分が、リリーフタブ２８８を実質的に２等分する第３の折り目ライン２８９を画定する。他の実施形態では、第３の折り目ライン２８９は、リリーフタブ２８８が第３の折り目ライン２８９に対して非対称になるように偏心され得る。
【０１０６】
変形可能構造部Ｇは、第２の下方タブの長手方向縁または自由側縁からストライクされた単一の切欠部または凹部Ｒを備える。凹部Ｒは、細長であり、ブランク２１０の長手方向に延在する。凹部Ｒは、第２の底部パネル２２４に第２のコーナーパネル２２２をヒンジ連結する第３の折り目ライン２８９、第２の折り目ライン２９１、および折り目ライン２２３に割り込む。凹部Ｒは、第２の下方タブの自由縁の近傍における折り目ライン２８９、２９１、２２３の突出を軽減するために折り目ライン２８９、２９１、２２３をまたいで材料を除去する。凹部Ｒは、折り目ライン２８９、２９１、２２３の切り抜かれた縁を与える。凹部Ｒは、第２の下方タブの残りの部分に対してベベルパネル２２２の自由端縁（すなわち下方タブの自由縁部分）を差し込む効果を有する。
【０１０７】
図９および図９Ａは、第四実施形態によるブランク３１０を示す。ブランク３１０は、管状構造体を形成するための複数の主要パネル３１２、３１４、３１６、３１８、３２０、３２２、３２４を備える。複数の主要パネル３１２、３１４、３１６、３１８、３２０、３２２、３２４は、第１の底部パネル３１２、第１のコーナーパネル３１４、第１の側部パネル３１６、上部パネル３１８、第２の側部パネル３２０、第２のコーナーパネル３２２、および第２の底部パネル３２４を備える。複数のパネル３１２、３１４、３１６、３１８、３２０、３２２、３２４は、対応する折り目ライン３１３、３１５、３１７、３１９、３２１、３２３により次から次へとヒンジ連結された状態で直線直列状に配置され得る。
【０１０８】
図９Ａは、変形可能構造部Ｇの１つの拡大図である（これらの変形可能構造部Ｇは、構造的に実質的に同様であり、図９Ａの変形可能構造部Ｇを参照することにより説明される）。変形可能構造部Ｇは、部分的には第２の側部パネル３２０から、部分的にはオプションの第２のコーナーパネル３２２から、および部分的には第２の底部パネル３２４から形成された第２の下方タブに画成される。
【０１０９】
変形可能構造部Ｇは、部分的には第２の側部パネル３２０からおよび部分的には第２のコーナーパネル３２２から形成されたリリーフタブ３８８を備える。第１のコーナーパネル３１４および第２のコーナーパネル３２２が省かれた実施形態では、リリーフタブ３８８は、部分的には第２の側部パネル３２０からおよび部分的には第２の底部パネル３２４から形成され得る。
【０１１０】
リリーフタブ３８８は、部分的には第２の側部パネル３２０に設けられた第１の折り目ライン３８７により、および部分的には第２のコーナーパネル３２２に設けられた第２の折り目ライン３９１により画定される。
【０１１１】
リリーフタブ３８８は、部分的には切込みラインまたは分離ライン３９３により画定される。
【０１１２】
折り目ライン３２１の延長部または一部分が、リリーフタブ３８８を実質的に２等分する第３の折り目ライン３８９を画定する。他の実施形態では、第３の折り目ライン３８９は、リリーフタブ３８８が第３の折り目ライン３８９に対して非対称になるように偏心され得る。
【０１１３】
変形可能構造部Ｇは、図９および図９Ａに示す本実施形態では省かれているが先述の実施形態に示す凹部Ｒまたは凹部Ｒ１、Ｒ１を備える。
【０１１４】
本開示は、物品Ｂをパッケージングするためのカートン９０を提供する。カートン９０は、カートン９０をそれぞれ形成する同様のブランクでネスト化され得るブランク１０、１１０、２１０、３１０から形成される。
【０１１５】
ブランク１０、１１０、２１０、３１０は、間にタブを画成する複数の凹部を有する長手方向縁を備える。これらの凹部は、ブランク１０、１１０、２１０、３１０が同様のブランク１０、１１０、２１０、３１０でネスト化され得るように配置され得る。タブは、カートン９０の上方コーナー部分および下方コーナー部分を形成する。下方コーナー部分は、カートン９０の下方コーナー部分の先鋭性を軽減するために下方コーナー部分を変形または折り畳むことを可能にする変形可能折畳み構造部Ｇを備え得る。変形可能折畳み構造部Ｇは、荷重力が印加された場合に下方コーナー部分が容易に折り畳まれて事実上丸みをつけられた状態になるのを可能にする。
【０１１６】
様々な変更が本発明の範囲内において行い得る点が理解できる。例えば、パネルおよび開口のサイズおよび形状は、異なるサイズまたは形状の物品を収容するために調節され得る。
【０１１７】
本明細書において、「上部」、「底部」、「前部」、「後部」、「端部」、「側部」、「内方」、「外方」、「上方」、および「下方」などの方向指示語は、かかる配向にそれぞれのパネルを必ずしも限定せず、これらのパネルを相互に識別する役割を単に果たし得る点が理解されよう。
【０１１８】
本明細書において、「ヒンジ連結」および「折り目ライン」という用語は、ブランクのヒンジ特徴部を画定する、ブランクの部分同士の相互に対する折畳みを容易にする、またはブランクの最適なパネル折畳み位置を示すあらゆるライン様式を指す。「ヒンジ連結」へのあらゆる言及は、必ずしも単一の折り目ラインのみを指すものとして解釈されるべきではなく、実際に、ヒンジ連結部は、２つ以上の折り目ラインがそれぞれ直線／線形または曲線／湾曲のいずれかの形状であり得る２つ以上の折り目ラインから形成され得る。直線状折り目ラインがヒンジ連結部を形成する場合には、これらの折り目ラインは、相互に対して平行に配設され得るか、または相互に対して若干角度をつけられ得る。湾曲折り目ラインがヒンジ連結部を形成する場合には、これらの折り目ラインは、相互に交差して湾曲折り目ラインにより囲まれるエリア内に形状設定されたパネルを画定し得る。かかるヒンジ連結部の典型的な一例は、間に楕円形パネルを画成するように２つの点で交差する１対の弧状折り目ラインまたは弓状折り目ラインを備え得る。ヒンジ連結部は、１つまたは複数の直線状折り目ラインおよび１つまたは複数の湾曲折り目ラインから形成されてもよい。かかるヒンジ連結部の典型的な一例は、半月形状パネルを間に画定するように２つの点にて交差する線形折り目ラインおよび弧状折り目ラインまたは弓状折り目ラインの組合せを備え得る。
【０１１９】
本明細書において、「折り目ライン」という用語は、以下のものすなわち刻み目ライン、エンボス加工ライン、デボス加工ライン、穿孔ライン、短スリットライン、半切込みライン、単一の半切込み、割り込まれた切込み、位置合わせされたスリットのライン、刻み目ライン、および前述のオプションの任意の組合せの中の１つを指し得る。
【０１２０】
「ヒンジ連結」および「折り目ライン」という用語は、穿孔、穿孔ライン、短スリットライン、半切込みライン、単一の半切込み、切込みライン、割り込まれた切込みライン、スリット、刻み目、およびそれらの任意の組合せ等を含む、ブランクの基層に形成された要素をそれぞれ備え得る点を理解されたい。これらの要素は、所望の機能を実現するように寸法設定および配置され得る。例えば、穿孔ラインが、折り目ラインおよび／または分離ラインを画定するためにある脆弱度を有して寸法設定または設計され得る。穿孔ラインは、さらなる労力を伴う折り畳みおよび破壊を助長するために、または労力を殆ど伴わない破壊を助長するために、折畳みを容易にし耐破壊性をもたらすように設計され得る。
【０１２１】
本明細書において、「と位置合わせ状態で」という表現は、第１の２つの重畳したパネルに形成されたアパーチャおよび第２の２つの重畳したパネルに形成された第２のアパーチャなどの、組み立てられたカートンにおける２つ以上の要素の位置合わせ状態を指す。相互に位置合わせ状態にあるこれらの要素は、重畳しているパネルの厚さ方向において相互に位置合わせされ得る。例えば、第１のパネルのアパーチャが、第１のパネルと重畳的構成に置かれた第２のパネルの第２のアパーチャと「位置合わせ状態に」ある場合には、アパーチャの縁が、第２のアパーチャの縁の少なくとも一部分に沿って延在し、第１のパネルおよび第２のパネルの厚さ方向において第２のアパーチャと位置合わせされ得る。
【符号の説明】
【０１２２】
１０  ブランク
１２  第１の底部パネル
１３  折り目ライン
１４  第１のコーナーパネル
１５  折り目ライン
１６  第１の側部パネル、第１の側壁部
１７  折り目ライン
１８  上部パネル、上部壁部
１９  折り目ライン
２０  第２の側部パネル、第２の側壁部
２１  折り目ライン
２２  第２のコーナーパネル
２３  折り目ライン
２４  第２の底部パネル
１２／２４  複合底壁部
２５ａ  折り目ライン
２５ｂ  折り目ライン
２６ａ  アンカー部分
２６ｂ  アンカー部分
２７ａ  折り目ライン
２７ｂ  折り目ライン
２８ａ  ガゼット部分
２８ｂ  ガゼット部分
２９ａ  延長部
２９ｂ  延長部
３０ａ  ウェブ部分
３０ｂ  ウェブ部分
３１ａ  折り目ライン
３１ｂ  折り目ライン
３２ａ  ウェブ部分
３２ｂ  ウェブ部分
３３ａ  折り目ライン
３３ｂ  折り目ライン
３４ａ  ガゼット部分
３４ｂ  ガゼット部分
３５ａ  延長部
３５ｂ  延長部
３６ａ  アンカー部分
３６ｂ  アンカー部分
３７ａ  折り目ライン
３７ｂ  折り目ライン
３９ａ  折り目ライン
３９ｂ  折り目ライン
４２  ヒールタブ
４３  折り目ライン
４５ａ  折り目ライン
４５ｂ  折り目ライン
５２  フィンガタブ
５３  折り目ライン
５５  分離ライン
６０ａ  プルタブ
６０ｂ  プルタブ
６１ａ  折り目ライン
６１ｂ  折り目ライン
６２ａ  第１の分離ライン
６２ｂ  第２の分離ライン
７０  完全大型切欠部
７０ａ  完全大型切欠部
７０ｂ  部分的なまたは小型の切欠部
７０ｃ  完全大型切欠部
７２  第１の上方タブ
７２ａ  第２の上方タブ
７２ｂ  第１の下方タブ
７２ｃ  第２の下方タブ
８０ａ  カバー部分
８０ｂ  カバー部分
８２ａ  カバー部分
８２ｂ  カバー部分
８３  第４の折り目ライン
８４  第１のフラップ
８５  第５の折り目ライン
８６  第２のフラップ
８７  第１の折り目ライン
８８  リリーフタブ
８９  第３の折り目ライン
９０  カートン、キャリア、パッケージ、容器
９１  第２の折り目ライン
９３  切込みライン、分離ライン
Ｇ  変形可能構造部
Ａ１  第１のアパーチャ
Ａ２  第２のアパーチャ
Ａ３  ヒールアパーチャ
Ａ４  オプションのアパーチャ
Ｆ  相補的ロック機構の第１の部分
Ｍ  相補的ロック機構の第２の部分
Ｎ  ヒール係合構造部
Ｈ  ハンドル構造部
Ｄ  取外し可能部分
Ｂ  物品、一次製品容器
Ｒ１  凹部
Ｒ２  第２の凹部
１１０  ブランク
１１２  第１の底部パネル
１１３  折り目ライン
１１４  第１のコーナーパネル
１１５  折り目ライン
１１６  第１の側部パネル
１１７  折り目ライン
１１８  上部パネル
１１９  折り目ライン
１２０  第２の側部パネル
１２１  折り目ライン
１２２  第２のコーナーパネル
１２３  折り目ライン
１２４  第２の底部パネル
１８３  第４の折り目ライン
１８４  第１のフラップ
１８５  第５の折り目ライン
１８６  第２のフラップ
１８７  第１の折り目ライン
１８８  リリーフタブ
１８９  第３の折り目ライン
１９１  第２の折り目ライン
１９３  切込みライン、分離ライン
２１０  ブランク
２１２  第１の底部パネル
２１３  折り目ライン
２１４  第１のコーナーパネル
２１５  折り目ライン
２１６  第１の側部パネル
２１７  折り目ライン
２１８  上部パネル
２１９  折り目ライン
２２０  第２の側部パネル
２２１  折り目ライン
２２２  第２のコーナーパネル、ベベルパネル
２２３  折り目ライン
２２４  第２の底部パネル
２８７  第１の折り目ライン
２８８  リリーフタブ
２８９  第３の折り目ライン
２９１  第２の折り目ライン
２９３  切込みライン、分離ライン
３１０  ブランク
３１２  第１の底部パネル
３１３  折り目ライン
３１４  第１のコーナーパネル
３１５  折り目ライン
３１６  第１の側部パネル
３１７  折り目ライン
３１８  上部パネル
３１９  折り目ライン
３２０  第２の側部パネル
３２１  折り目ライン
３２２  第２のコーナーパネル
３２３  折り目ライン
３２４  第２の底部パネル
３８７  第１の折り目ライン
３８８  リリーフタブ
３８９  第３の折り目ライン
３９１  第２の折り目ライン
３９３  切込みライン、分離ライン
【図１】
2019089599.tif 000003
【図１Ａ】
2019089599.tif 000004
【図２】
2019089599.tif 000005
【図３】
2019089599.tif 000006
【図４】
2019089599.tif 000007
【図５】
2019089599.tif 000008
【図６】
2019089599.tif 000009
【図７】
2019089599.tif 000010
【図７Ａ】
2019089599.tif 000011
【図８】
2019089599.tif 000012
【図８Ａ】
2019089599.tif 000013
【図９】
2019089599.tif 000014
【図９Ａ】
2019089599.tif 000015
【外国語明細書】
2019089599000001.pdf